(57)【要約】【課題】電子番組表のスクロールを停止したときに表示する電子番組表の時間帯をユーザに容易に認識させる。【解決手段】テレビ装置１は、電子番組表処理部６が電子番組表のスクロールを開始した後、時刻を表示部に表示するとともに、スクロールを停止した後、上記電子番組表のうち、スクロールを停止した時点で表示していた時刻に対応する部分を表示する表示制御部３を備えている。【選択図】図１
2015039090.tif 000002
【特許請求の範囲】
【請求項１】
一方の軸を時間軸とし、他方の軸をチャンネル番号軸としてマトリックス表示された電子番組表を表示する電子番組表表示装置であって、
上記電子番組表を時間軸方向にスクロールする指示を受け付けるスクロール受付手段と、
上記スクロール受付手段がスクロールする指示を受け付けている間、電子番組表を時間軸方向にスクロールするスクロール手段と、
上記スクロール手段が上記電子番組表のスクロールを開始した後、時刻を表示部に表示する時刻表示制御手段と、
上記スクロール手段がスクロールを停止した後、上記電子番組表のうち、上記スクロール手段がスクロールを停止した時点で上記時刻表示制御手段が表示していた時刻に対応する部分を表示する電子番組表表示制御手段と、
を備えていることを特徴とする電子番組表表示装置。
【請求項２】
上記スクロール手段は、上記電子番組表のスクロールを開始してから所定の時間が経過した後、スクロール速度を高速化するものであり、上記時刻表示制御手段は、上記スクロール手段がスクロール速度を高速化した後、時刻表示を開始するものあることを特徴とする請求項１に記載の電子番組表表示装置。
【請求項３】
上記時刻表示制御手段は、上記電子番組表に重畳して、時刻を表示することを特徴とする請求項１または２に記載の電子番組表表示装置。
【請求項４】
上記時刻表示制御手段は、アナログ時計形式で時刻を表示することを特徴とする請求項１〜３のいずれか１項に記載の電子番組表表示装置。
【請求項５】
上記スクロール手段は、スクロール速度を高速化したときに、電子番組表の時間軸およびチャンネル番号軸のみ残し、残りを空白状態とすることを特徴とする請求項１〜４のいずれか１項に記載の電子番組表表示装置。
【請求項６】
上記時刻表示制御手段は、アナログ時計形式およびデジタル時計形式の両方で時刻を表示することを特徴とする請求項１〜５のいずれか１項に記載の電子番組表表示装置。
【請求項７】
上記時刻表示制御手段は、午前と午後とで表示する時刻の色を異ならせることを特徴とする請求項１〜６のいずれか１項に記載の電子番組表表示装置。
【請求項８】
上記時刻表示制御手段は、１日２４時間を複数の時間帯に分割し、各時間帯に対応するイメージを割り当て、時刻とともに該時刻が含まれる時間帯に割り当てられたイメージを表示することを特徴とする請求項１〜７のいずれか１項に記載の電子番組表表示装置。
【請求項９】
上記イメージは、表示面に対し略垂直な方向に視認されるような面をサークル面とするサークル状に配置されており、
上記時刻表示制御手段は、表示する時刻の変動に応じて、上記サークル状に配置されているイメージの表示位置を、該サークルが回転するように変化させ、表示している時刻が含まれる上記時間帯に割り当てられたイメージを、上記サークルの最も前面にあるように視認される位置に表示することを特徴とする請求項８に記載の電子番組表表示装置。
【請求項１０】
上記時刻表示制御手段は、上記電子番組表に重畳して、日付を表示するものであり、
上記電子番組表表示制御手段は、上記スクロール手段がスクロールを停止した後、上記電子番組表のうち、上記スクロール手段がスクロールを停止した時点で上記時刻表示制御手段が表示していた日付および時刻に対応する部分を表示することを特徴とする請求項１〜９のいずれか１項に記載の電子番組表表示装置。
【請求項１１】
上記時刻表示制御手段は、棒状領域を複数の区画に区切り、それぞれの区画に日付を割り当てたスライドバーにより、日付を表示することを特徴とする請求項１０に記載の電子番組表表示装置。
【請求項１２】
上記時刻表示制御手段は、複数の日付が含まれるカレンダーを表示し、該カレンダーの日付領域に目印を表示することにより、日付を表示することを特徴とする請求項１０に記載の電子番組表表示装置。
【請求項１３】
上記スクロール受付手段は、上記電子番組表をチャンネル軸方向にスクロールする指示を受け付け、
上記スクロール手段は、上記スクロール受付手段がチャンネル軸方向にスクロールする指示を受け付けている間、電子番組表をチャンネル軸方向にスクロールするものであって、
当該電子番組表表示装置は、上記スクロール手段が上記電子番組表のチャンネル軸方向へのスクロールを開始した後、チャンネル番号を示すチャンネル情報を表示部に表示するチャンネル表示制御手段を備え、
上記電子番組表表示制御手段は、上記電子番組表のうち、上記スクロール手段がスクロールを停止した時点で上記チャンネル表示制御手段が表示していたチャンネル情報が示すチャンネルに対応する部分を表示することを特徴とする請求項１に記載の電子番組表表示装置。
【請求項１４】
上記チャンネル表示制御手段は、複数のチャンネルのチャンネル情報を一覧表示するとともに、一覧表示されているチャンネル情報の１つを強調表示し、上記スクロール手段がスクロールしている間、強調表示するチャンネル情報を変更し、
上記電子番組表表示制御手段は、上記電子番組表のうち、上記スクロール手段がスクロールを停止した時点で上記チャンネル表示制御手段が強調表示していたチャンネル情報に対応するチャンネルの部分を表示することを特徴とする請求項１３に記載の電子番組表表示装置。
【請求項１５】
上記チャンネル表示制御手段は、複数のチャンネルのチャンネル情報を、表示面に対し略垂直な方向に視認されるような面をサークル面とするサークル状に配置するとともに、上記スクロール手段がスクロールしている間、上記サークルが回転するように上記チャンネル情報の表示位置を変更させて、該サークルの最も前面にあるように視認される位置に配置されるチャンネル情報を変更し、
上記電子番組表表示制御手段は、上記電子番組表のうち、上記スクロール手段がスクロールを停止した時点で上記チャンネル表示制御手段が上記サークルの最も前面にあるように視認される位置に表示していたチャンネル情報に対応するチャンネルの部分を表示することを特徴とする請求項１３に記載の電子番組表表示装置。
【請求項１６】
上記スクロール手段がスクロール中に上記時刻表示制御手段が表示する時刻表示と対応させて、番組の視聴または録画の予約時間帯を識別可能な予約識別情報を上記表示部に表示する予約識別情報表示手段を備えていることを特徴とする請求項１〜１５のいずれか１項に記載の電子番組表表示装置。
【請求項１７】
上記時刻表示制御手段がアナログ形式で時刻を表示する場合に、該アナログ形式の時刻表示が、番組の視聴または録画の予約時間帯を示すとき、上記アナログ形式の時刻表示の針部の色を変更する予約識別情報表示手段を備えていることを特徴とする請求項４に記載の電子番組表表示装置。
【請求項１８】
上記時刻表示制御手段がアナログ形式で時刻を表示する場合に、番組の視聴または録画の予約時間帯を識別可能な予約識別情報を、上記アナログ形式の時刻表示における対応する時間帯の外周部または内部領域に表示する予約識別情報表示手段を備えていることを特徴とする請求項４に記載の電子番組表表示装置。
【請求項１９】
上記時刻表示制御手段がアナログ形式で時刻を表示する場合に、該アナログ形式の時刻表示の外周部に、年輪状となるように複数の輪を設け、現在時刻から１２時までを当該輪の最も内側の輪に割り当てるとともに、該１２時以降、１２時間ごとに１つずつ外側の輪を割り当て、番組の視聴または録画の予約時間帯を識別可能な予約識別情報を、上記輪における対応する位置に表示する予約識別情報表示手段を備えていることを特徴とする請求項４に記載の電子番組表表示装置。
【請求項２０】
上記時刻表示制御手段が上記カレンダーを表示する場合に、番組の視聴または録画の予約時間帯を識別可能な予約識別情報を、上記カレンダーにおける日付領域上の対応する位置に表示する予約識別情報表示手段を備えていることを特徴とする請求項１２に記載の電子番組表表示装置。
【請求項２１】
上記時刻表示制御手段が上記スライドバーを表示する場合に、番組の視聴または録画の予約時間帯を識別可能な予約識別情報を、上記スライドバーにおける日付領域上の対応する位置に表示する予約識別情報表示手段を備えていることを特徴とする請求項１１に記載の電子番組表表示装置。
【請求項２２】
請求項１〜２１のいずれか１項に記載の電子番組表表示装置を含むテレビジョン受像機。
【請求項２３】
請求項１〜２１のいずれか１項に記載の電子番組表表示装置を動作させる電子番組表表示装置制御プログラムであって、コンピュータを上記の各手段として機能させるための電子番組表表示装置制御プログラム。
【請求項２４】
請求項２３に記載の電子番組表表示装置制御プログラムを記録したコンピュータ読み取り可能な記録媒体。
【請求項２５】
一方の軸を時間軸とし、他方の軸をチャンネル番号軸としてマトリックス表示された電子番組表を表示する電子番組表表示装置の制御方法であって、
上記電子番組表を時間軸方向にスクロールする指示を受け付けるスクロール受付ステップと、
上記スクロール受付ステップでスクロールする指示を受け付けている間、電子番組表を時間軸方向にスクロールするスクロールステップと、
上記スクロールステップで上記電子番組表のスクロールを開始した後、時刻を表示部に表示する時刻表示制御ステップと、
上記スクロールステップでスクロールを停止した後、上記電子番組表のうち、上記スクロールステップでスクロールを停止した時点で上記時刻表示制御ステップで表示していた時刻に対応する部分を表示する電子番組表表示制御ステップと、を含むことを特徴とする電子番組表表示装置の制御方法。
【発明の詳細な説明】
【技術分野】
【０００１】
本発明は、情報を表示する装置、特に電子番組表示を表示する電子番組表表示装置、テレビジョン受像機、電子番組表表示装置の制御方法、電子番組表表示装置制御プログラムおよび該プログラムを記録したコンピュータ読み取り可能な記録媒体に関するものである。
【背景技術】
【０００２】
従来から、テレビ放送におけるデジタル放送では、番組だけでなく番組案内情報が伝送されており、表示装置は、この番組案内情報を用いて電子番組表（ＥＰＧ）を表示している。電子番組表は、例えば、縦軸を時間軸、横軸をチャンネル番号軸として、複数の番組案内情報が、マトリックス状に形成されているものである。
【０００３】
そして、特許文献１には、電子番組表の時間軸を変化させて表示させるときに、電子番組表の時間表示を、アナログ時計形式で行う技術が開示されている。
【０００４】
また、特許文献２には、アナログ時計形式で表示された時計を用いて、電子番組表で表示する時間帯を設定する技術が開示されている。
【先行技術文献】
【特許文献】
【０００５】
【特許文献１】特開２００２−３２０１６６号公報（２００２年１０月３１日公開）
【特許文献２】特開平１０−２７６３７８号公報（１９９８年１０月１３日公開）
【発明の概要】
【発明が解決しようとする課題】
【０００６】
しかしながら、上述した従来の構成では、電子番組表を時間軸方向にスクロールさせているときに、スクロールを停止したら電子番組表のどの部分が画面に表示されるのかを、ユーザが認識し難いという問題があった。
【０００７】
特許文献１に記載された技術は、電子番組表の時間表示をアナログ時計形式にしただけであり、アナログ時計形式で表示された時間表示は電子番組表とともにスクロールされる。したがって、特許文献１に記載の技術では、上述した問題を解決することができない。
【０００８】
また、特許文献２に記載の技術は、電子番組表のどの部分を画面に表示するかを設定するために時計を用いるというものであり、電子番組表をスクロールさせたときに、現在、電子番組表のどの部分が画面に表示されているのかをユーザに知らせ得るものではない。
【０００９】
本発明は、上記の問題点に鑑みてなされたものであり、その目的は、電子番組表を時間軸方向にスクロールさせているときに、スクロールを停止したら電子番組表のどの部分が画面に表示されるのかを、ユーザが容易に認識できる電子番組表表示装置等を実現することにある。
【課題を解決するための手段】
【００１０】
上記課題を解決するために、本発明に係る電子番組表表示装置は、一方の軸を時間軸とし、他方の軸をチャンネル番号軸としてマトリックス表示された電子番組表を表示する電子番組表表示装置であって、上記電子番組表を時間軸方向にスクロールする指示を受け付けるスクロール受付手段と、上記スクロール受付手段がスクロールする指示を受け付けている間、電子番組表を時間軸方向にスクロールするスクロール手段と、上記スクロール手段が上記電子番組表のスクロールを開始した後、時刻を表示部に表示する時刻表示制御手段と、上記スクロール手段がスクロールを停止した後、上記電子番組表のうち、上記スクロール手段がスクロールを停止した時点で上記時刻表示制御手段が表示していた時刻に対応する部分を表示する電子番組表表示制御手段と、を備えていることを特徴としている。
【００１１】
また、本発明に係る電子番組表表示装置の制御方法は、一方の軸を時間軸とし、他方の軸をチャンネル番号軸としてマトリックス表示された電子番組表を表示する電子番組表表示装置の制御方法であって、上記電子番組表を時間軸方向にスクロールする指示を受け付けるスクロール受付ステップと、上記スクロール受付ステップでスクロールする指示を受け付けている間、電子番組表を時間軸方向にスクロールするスクロールステップと、上記スクロールステップで上記電子番組表のスクロールを開始した後、時刻を表示部に表示する時刻表示制御ステップと、上記スクロールステップでスクロールを停止した後、上記電子番組表のうち、上記スクロールステップでスクロールを停止した時点で上記時刻表示制御ステップで表示していた時刻に対応する部分を表示する電子番組表表示制御ステップと、を含むことを特徴としている。
【００１２】
上記の構成または方法によれば、電子番組表を時間軸方向にスクロールしている間、表示部に時刻が表示される。そして、スクロールを停止すると、電子番組表のうち、スクロールを停止したときに表示されていた時刻に対応する部分が表示部に表示される。
【００１３】
よって、ユーザは、電子番組表をスクロールしている間、画面に表示された時刻を確認することによって、スクロールを停止したら電子番組表のどの部分が画面に表示されるかを、容易に認識することができる。よって、電子番組表の操作性・利便性が向上する。
【００１４】
本発明に係る電子番組表表示装置では、上記スクロール手段は、上記電子番組表のスクロールを開始してから所定の時間が経過した後、スクロール速度を高速化するものであり、上記時刻表示制御手段は、上記スクロール手段がスクロール速度を高速化した後、時刻表示を開始するものであってもよい。
【００１５】
上記の構成によれば、電子番組表の高速スクロールが開始されるまでは、時刻表示が行われないので、時計表示による電子番組表の視認性の低下を回避することができる。
【００１６】
本発明に係る電子番組表表示装置では、上記時刻表示制御手段は、上記電子番組表に重畳して、時刻を表示するものであってもよい。
【００１７】
上記の構成によれば、電子番組表に重畳して時刻が表示されるので、ユーザに対し、スクロールの間の時間帯を容易に、かつ明確に認識させることができる。
【００１８】
本発明に係る電子番組表表示装置では、上記時刻表示制御手段は、アナログ時計形式で時刻を表示するものであってもよい。
【００１９】
上記の構成によれば、アナログ時計形式で時刻を表示するので、ユーザに対し、スクロールの間の時間帯を、直感的に認識させることができる。
【００２０】
本発明に係る電子番組表表示装置では、上記スクロール手段は、スクロール速度を高速化したときに、電子番組表の時間軸およびチャンネル番号軸のみ残し、残りを空白状態とするものであってもよい。
【００２１】
上記の構成によれば、文字情報をスクロールする処理を行う必要がなくなるので、処理負荷を軽くすることができる。
【００２２】
本発明に係る電子番組表表示装置では、上記時刻表示制御手段は、アナログ時計形式およびデジタル時計形式の両方で時刻を表示するものであってもよい。
【００２３】
上記の構成によれば、アナログ時計形式とデジタル時計形式との両方で時刻が表示されるので、ユーザに対し、視覚的かつ明確に時刻を提示することができる。
【００２４】
本発明に係る電子番組表表示装置では、上記時刻表示制御手段は、午前と午後とで表示する時刻の色を異ならせるものであってもよい。
【００２５】
上記の構成によれば、午前と午後とで表示する時刻の色が異なるので、表示している時刻が午前であるのか、または午後であるのかを明確にユーザに提示することができる。
【００２６】
特にアナログ時計形式の場合やデジタル時計形式で１２時間表示の場合は、表示している時刻が午前なのか午後なのかが判別できないので、上記の構成により、午前であることまたは午後であることを、ユーザに対し明確に提示することができる。
【００２７】
本発明に係る電子番組表表示装置では、上記時刻表示制御手段は、１日２４時間を複数の時間帯に分割し、各時間帯に対応するイメージを割り当て、時刻とともに該時刻が含まれる時間帯に割り当てられたイメージを表示するものであってもよい。
【００２８】
上記の構成によれば、表示されたイメージにより、おおよその時間帯をユーザに提示することができる。これにより、ユーザは、表示された時刻およびイメージにより、当該時刻を視覚的に認識することができる。例えば、夜の時間帯に月のイメージが割り当てられ、昼の時間帯に太陽のイメージが割り当てられていれば、ユーザは表示されている時刻およびイメージにより、その時刻が昼の時刻なのか夜の時刻なのかを視覚的に認識することができる。
【００２９】
本発明に係る電子番組表表示装置では、上記イメージは、表示面に対し略垂直な方向に視認されるような面をサークル面とするサークル状に配置されており、上記時刻表示制御手段は、表示する時刻の変動に応じて、上記サークル状に配置されているイメージの表示位置を、該サークルが回転するように変化させ、表示している時刻が含まれる上記時間帯に割り当てられたイメージを、上記サークルの最も前面となる位置に表示するものであってもよい。
【００３０】
上記の構成によれば、イメージがサークル状に配置され、表示する時刻変動とともに、イメージの表示位置が、サークルが回転するように変化する。これにより、ユーザに対し、変動している時刻のおおよその時間帯を、視覚的に提示することができる。
【００３１】
本発明に係る電子番組表表示装置では、上記時刻表示制御手段は、上記電子番組表に重畳して、日付を表示するものであり、上記電子番組表表示制御手段は、上記スクロール手段がスクロールを停止した後、上記電子番組表のうち、上記スクロール手段がスクロールを停止した時点で上記時刻表示制御手段が表示していた日付および時刻に対応する部分を表示するものであってもよい。
【００３２】
上記の構成によれば、時刻に加え日付を表示する。これにより、ユーザに対し、スクロールを停止したときに表示される電子番組表の日付を明確に提示することできる。
【００３３】
本発明に係る電子番組表表示装置では、上記時刻表示制御手段は、棒状領域を複数の区画に区切り、それぞれの区画に日付を割り当てたスライドバーにより、日付を表示するものであってもよい。
【００３４】
上記の構成によれば、棒状領域を複数の区画に区切り、それぞれの区画に日付を割り当てたスライドバーにより日付を表示するので、ユーザに対し、日付を視覚的に認識させることができる。
【００３５】
本発明に係る電子番組表表示装置では、上記時刻表示制御手段は、複数の日付が含まれるカレンダーを表示し、該カレンダーの日付領域に目印を表示することにより、日付を表示するものであってもよい。
【００３６】
上記の構成によれば、カレンダーの日付領域に表示された目印により日付を提示することができるので、ユーザに対し、日付を視覚的に提示することができる。
【００３７】
本発明に係る電子番組表表示装置では、上記スクロール受付手段は、上記電子番組表をチャンネル軸方向にスクロールする指示を受け付け、上記スクロール手段は、上記スクロール受付手段がチャンネル軸方向にスクロールする指示を受け付けている間、電子番組表をチャンネル軸方向にスクロールするものであって、当該電子番組表表示装置は、上記スクロール手段が上記電子番組表のスクロールを開始した後、チャンネル番号を示すチャンネル情報を表示部に表示するチャンネル表示制御手段を備え、上記電子番組表表示制御手段は、上記電子番組表のうち、上記スクロール手段がスクロールを停止した時点で上記チャンネル表示制御手段が表示していたチャンネル情報が示すチャンネルに対応する部分を表示するものであってもよい。
【００３８】
上記の構成によれば、電子番組表をチャンネル軸方向にスクロールしている間、表示部にチャンネル情報が表示される。そして、スクロールを停止すると、電子番組表のうち、スクロールを停止したときに表示されていたチャンネル情報が示すチャンネルに対応する部分が表示部に表示される。
【００３９】
よって、ユーザは、電子番組表をスクロールしている間、画面に表示されたチャンネル情報を確認することによって、スクロールを停止したら電子番組表のどの部分が画面に表示されるかを、容易に認識することができる。よって、電子番組表の操作性・利便性が向上する。
【００４０】
本発明に係る電子番組表表示装置では、上記チャンネル表示制御手段は、複数のチャンネルのチャンネル情報を一覧表示するとともに、一覧表示されているチャンネル情報の１つを強調表示し、上記スクロール手段がスクロールしている間、強調表示するチャンネル情報を変更し、上記電子番組表表示制御手段は、上記電子番組表のうち、上記スクロール手段がスクロールを停止した時点で上記チャンネル表示制御手段が強調表示していたチャンネル情報に対応するチャンネルの部分を表示するものであってもよい。
【００４１】
上記の構成によれば、チャンネル情報が一覧表示されるとともに、一覧表示されているチャンネル情報の１つが強調表示され、スクロール手段がスクロールしている間、強調表示されるチャンネル情報が変更される。これにより、ユーザに対し、チャンネル情報を一覧で提示できるうえに、スクロールを停止したときに、どのチャンネル情報が示すチャンネルに対応する電子番組表が表示されるかを、容易に認識させることができる。
【００４２】
本発明に係る電子番組表表示装置では、上記チャンネル表示制御手段は、複数のチャンネルのチャンネル情報を、表示面に対し略垂直な方向に視認されるような面をサークル面とするサークル状に配置するとともに、上記スクロール手段がスクロールしている間、上記サークルが回転するように上記チャンネル情報の表示位置を変更させて、該サークルの最も前面にあるように視認される位置に配置されるチャンネル情報を変更し、上記電子番組表表示制御手段は、上記電子番組表のうち、上記スクロール手段がスクロールを停止した時点で上記チャンネル表示制御手段が上記サークルの最も前面にあるように視認される位置に表示していたチャンネル情報に対応するチャンネルの部分を表示するものであってもよい。
【００４３】
上記の構成によれば、チャンネル情報がサークル状に配置されて、スクロールとともにサークルが回転するようにチャンネル情報の表示位置が変更される。そして、スクロールを停止した時点で、前面にあるように視認される位置に表示されているチャンネル情報が示すチャンネルに対応する電子番組表が表示される。これにより、ユーザに対し、チャンネルがスクロールされていることを視覚的に提示することができる。
【００４４】
本発明に係る電子番組表表示装置では、上記スクロール手段がスクロール中に上記時刻表示制御手段が表示する時刻表示と対応させて、番組の視聴または録画の予約時間帯を識別可能な予約識別情報を上記表示部に表示する予約識別情報表示手段を備えていてもよい。
【００４５】
上記の構成によれば、時刻表示制御手段が表示する時刻表示と対応させて、番組の視聴または録画の予約時間帯を識別可能な予約識別情報が表示される。これにより、スクロール中に、番組の視聴または録画が予約されている時間帯をユーザに提示することができる。
【００４６】
また、ユーザは、スクロール中に、番組の視聴または録画が予約されている時間帯を認識できることにより、当該時間帯でスクロールを停止して、予約番組を確認することができる。
【００４７】
本発明に係る電子番組表表示装置では、上記時刻表示制御手段がアナログ形式で時刻を表示する場合に、該アナログ形式の時刻表示が、番組の視聴または録画の予約時間帯を示すとき、上記アナログ形式の時刻表示の針部の色を変更する予約識別情報表示手段を備えていてもよい。
【００４８】
上記の構成によれば、アナログ形式の時刻表示において、予約時間帯のときの針部の表示の色が変更される。これにより、ユーザに対し、予約時間帯であることを視覚的に提示することができる。また、ユーザは、スクロール中に、予約時間帯であることを容易に認識することができる。
【００４９】
本発明に係る電子番組表表示装置では、上記時刻表示制御手段がアナログ形式で時刻を表示する場合に、番組の視聴または録画の予約時間帯を識別可能な予約識別情報を、上記アナログ形式の時刻表示における対応する時間帯の外周部または内部領域に表示する予約識別情報表示手段を備えていてもよい。
【００５０】
上記の構成によれば、アナログ形式の時刻表示の外周部または内部領域に予約時間帯を識別可能な予約識別情報が表示される。これにより、ユーザに対し、予約時間帯を一覧で提示することができる。また、ユーザは、スクロール中に、予約時間帯を一度に認識することができる。
【００５１】
本発明に係る電子番組表表示装置では、上記時刻表示制御手段がアナログ形式で時刻を表示する場合に、該アナログ形式の時刻表示の外周部に、年輪状となるように複数の輪を設け、現在時刻から１２時までを当該輪の最も内側の輪に割り当てるとともに、該１２時以降、１２時間ごとに１つずつ外側の輪を割り当て、番組の視聴または録画の予約時間帯を識別可能な予約識別情報を、上記輪における対応する位置に表示する予約識別情報表示手段を備えていてもよい。
【００５２】
上記の構成によれば、アナログ形式の時刻表示の外周部に年輪状となるように複数の輪が設けられ、それぞれの輪について、現在時刻から１２時までが最も内側の輪に割り当てられ、該１２時以降、１２時間ごとに１つずつ外側の輪が割り当てられる。そして、予約時間帯を識別可能な予約識別情報が、上記輪における対応する位置に表示される。
【００５３】
これにより、１２時間分以上先の予約時間帯であっても表示することができるので、ユーザに対し、１２時間分以上先の予約時間帯も識別可能に提示することができる。
【００５４】
本発明に係る電子番組表表示装置では、上記時刻表示制御手段が上記カレンダーを表示する場合に、番組の視聴または録画の予約時間帯を識別可能な予約識別情報を、上記カレンダーにおける日付領域上の対応する位置に表示する予約識別情報表示手段を備えていてもよい。
【００５５】
上記の構成によれば、カレンダーにおける日付領域上の対応する位置に予約時間帯を識別可能な予約識別情報が表示される。これにより、ユーザに対し、視覚的に予約時間帯を提示することができる。
【００５６】
本発明に係る電子番組表表示装置では、上記時刻表示制御手段が上記スライドバーを表示する場合に、番組の視聴または録画の予約時間帯を識別可能な予約識別情報を、上記スライドバーにおける日付領域上の対応する位置に表示する予約識別情報表示手段を備えていてもよい。
【００５７】
上記の構成によれば、スライドバーにおける日付領域上の対応する位置に予約時間帯を識別可能な予約識別情報が表示される。これにより、ユーザに対し、視覚的に予約時間帯を提示することができる。
【００５８】
上記電子番組表表示装置を含むテレビジョン受像機も、上述した効果を奏することができる。
【００５９】
なお、上記電子番組表表示装置は、コンピュータによって実現してもよく、この場合には、コンピュータを上記各手段として動作させることにより上記電子番組表表示装置をコンピュータにて実現させる電子番組表表示装置の制御プログラム、およびそれを記録したコンピュータ読み取り可能な記録媒体も、本発明の範疇に入る。
【発明の効果】
【００６０】
以上のように、本発明に係る電子番組表表示装置は、電子番組表を時間軸方向にスクロールする指示を受け付けるスクロール受付手段と、上記スクロール受付手段がスクロールする指示を受け付けている間、電子番組表を時間軸方向にスクロールするスクロール手段と、上記スクロール手段が上記電子番組表のスクロールを開始した後、時刻を表示部に表示する時刻表示制御手段と、上記スクロール手段がスクロールを停止した後、上記電子番組表のうち、上記スクロール手段がスクロールを停止した時点で上記時刻表示制御手段が表示していた時刻に対応する部分を表示する電子番組表表示制御手段と、を備えている構成である。
【００６１】
また、本発明に係る電子番組表表示装置の制御方法は、電子番組表を時間軸方向にスクロールする指示を受け付けるスクロール受付ステップと、上記スクロール受付ステップでスクロールする指示を受け付けている間、電子番組表を時間軸方向にスクロールするスクロールステップと、上記スクロールステップで上記電子番組表のスクロールを開始した後、時刻を表示部に表示する時刻表示制御ステップと、上記スクロールステップでスクロールを停止した後、上記電子番組表のうち、上記スクロールステップでスクロールを停止した時点で上記時刻表示制御ステップで表示していた時刻に対応する部分を表示する電子番組表表示制御ステップと、を含む方法で有る。
【００６２】
これにより、ユーザは、電子番組表をスクロールしている間、画面に表示された時刻を確認することによって、スクロールを停止したら電子番組表のどの部分が画面に表示されるかを、容易に認識することができるという効果を奏する。よって、電子番組表の操作性・利便性が向上するという効果を奏する。
【図面の簡単な説明】
【００６３】
【図１】本発明の実施の形態を示すものであり、テレビ装置の要部構成を示すブロック図である。
【図２】上記テレビ装置における、スクロールボタンが押下し続けられたときのスクロール処理の流れを示すフローチャートである。
【図３】上記テレビ装置における、１回だけスクロールボタンが押下されたときの処理の流れを示すフローチャートである。
【図４】上記スクロール処理における、高速スクロール処理の流れを示すフローチャートである。
【図５】電子番組表の表示画面例を示す図である。
【図６】スクロールボタンが押下されたときの電子番組表の表示画面例を示す図である。
【図７】図５に示す状態から、さらにスクロールボタンが押下されたときの電子番組表の表示画面例を示す図である。
【図８】図７に示す状態からさらにスクロールボタンが押下されたときの電子番組表の表示画面例を示す図である。
【図９】電子番組表を高速スクロールしたときの表示画面例を示す図である。
【図１０】電子番組表を高速スクロールしたときの表示画面例を示す図である。
【図１１】時間表示アイコンをデジタル時計形式とした場合を示す図である。
【図１２】日付アイコンを表示した表示画面例を示す図である。
【図１３】番組のジャンルに応じて色分けした電子番組表を示す図である。
【図１４】日付毎にタブ形式で表示される電子番組表を示す図である。
【図１５】高速スクロール中に、電子番組表の時間軸およびチャンネル番号軸のみ残し、残りを空白状態にした図である。
【図１６】時間表示アイコンをアナログ時計形式およびデジタル時計形式の両方とした場合を示す図である。
【図１７】時間表示アイコンをアナログ時計形式およびデジタル時計形式の両方とし、さらに日付を表示した場合を示す図である。
【図１８】時間表示アイコンをアナログ時計形式とし、時計領域の色を午前と午後とで変更する例を説明するための図である。
【図１９】表示している時間帯を示すイメージを説明するための図である。
【図２０】表示している時間帯を示すイメージを説明するための図である。
【図２１】日付をスライドバーで表示する例を示す図である。
【図２２】日付を領域で表示する例を示す図である。
【図２３】本発明のさらなる実施の形態における高速スクロール処理の流れを示すフローチャートである。
【図２４】チャンネル軸方向にスクロールボタンが押下された場合の電子番組表を説明するための図である。
【図２５】チャンネル軸方向にスクロールボタンが押下された場合の電子番組表を説明するための図である。
【図２６】チャンネル軸方向にスクロールボタンが押下された場合の電子番組表を説明するための図である。
【図２７】チャンネル軸方向の高速スクロールにおいて、チャンネル情報を表示する例を示す図である。
【図２８】チャンネル軸方向の高速スクロールにおいて、チャンネル情報を表示する例を示す図である。
【図２９】チャンネル軸方向の高速スクロールにおいて、チャンネル情報を表示する例を示す図である。
【図３０】チャンネル軸方向の高速スクロールにおいて、チャンネル情報を表示する例を示す図である。
【図３１】チャンネル軸方向の高速スクロールにおいて、チャンネル情報を表示する例を示す図である。
【図３２】チャンネル軸方向の高速スクロールにおいて、チャンネル情報を表示する例を示す図である。
【図３３】チャンネル軸方向の高速スクロールにおいて、チャンネル情報を表示する例を示す図である。
【図３４】高速スクロール中に、予約識別情報を表示する例を示す図である。
【図３５】高速スクロール中に、予約識別情報を表示する例を示す図である。
【図３６】高速スクロール中に、予約識別情報を表示する例を示す図である。
【図３７】高速スクロール中に、予約識別情報を表示する例を示す図である。
【図３８】高速スクロール中に、予約識別情報を表示する例を示す図である。
【図３９】高速スクロール中に、予約識別情報を表示する例を示す図である。
【発明を実施するための形態】
【００６４】
〔実施の形態１〕
本発明の一実施の形態について図１から図１５に基づいて説明すれば、以下のとおりである。本実施の形態に係るテレビ装置１は、受信した番組情報を用いて電子番組表（ＥＰＧ）を作成し、表示するものである。そして、表示した電子番組表を高速でスクロールしたときであっても、使い勝手がよく、ユーザの所望の時間の電子番組表を的確に表示できるものである。
【００６５】
（テレビ装置１の要部構成）
まず、図１を用いて本実施の形態に係るテレビ装置１の要部構成について説明する。図１は、テレビ装置１の要部構成を示すブロック図である。図１に示すように、テレビ装置１は、受信部２、表示制御部（時刻表示制御手段、電子番組表表示制御手段、チャンネル表示制御手段）３、表示部４、番組情報記憶部５、電子番組表処理部（スクロール受付手段、スクロール手段）６、およびリモコン受光部７を含む構成である。また、電子番組表処理部６は、押下時間判定部１１、および高速スクロール処理部（スクロール手段）１２を含む構成である。なお、テレビ装置１においてテレビ放送を受信し、表示する機能については、公知の技術を用いて可能であり、その説明は省略する。
【００６６】
また、テレビ装置１に含まれる各ブロックのうち、表示制御部３、表示部４、番組情報記憶部５、および電子番組表処理部６により電子番組表表示装置が構成される。
【００６７】
受信部２は、アンテナ８を介して、テレビ放送および番組情報を受信するものである。受信部２は、受信したテレビ放送に対し、受信処理を行った後、表示制御部３に送信する。また、受信した番組情報については、番組情報記憶部５に格納する。
【００６８】
表示制御部３は、受信部２から取得したテレビ放送や、電子番組表処理部６から取得した電子番組表、および電子番組表に対する処理結果を、表示部４に表示させるものである。
【００６９】
表示部４は、表示制御部３の制御により、テレビ放送や電子番組表を表示する表示デバイスである。表示部４の例としては、液晶ディスプレイ、有機ＥＬ（Electro Luminescence）ディスプレイ、プラズマディスプレイ等が挙げられる。
【００７０】
番組情報記憶部５は、受信部２が受信した番組情報を記憶しているものである。番組情報の内容としては、番組内容、放送時間、放送局、出演者、番組のカテゴリー等が挙げられる。
【００７１】
電子番組表処理部６は、番組情報記憶部５に記憶されている番組情報を用いて電子番組表を作成し、表示制御部３に送信するものである。電子番組表の例としては、縦を時間軸、横をチャンネル番号軸としたマトリクス表示の番組表を挙げることができる。また、電子番組表処理部６は、押下時間判定部１１および高速スクロール処理部１２を含み、リモコン受光部７で受光したリモコンからの信号に基づいて、電子番組表に対する処理を行い、処理結果を表示制御部３に送信するものである。
【００７２】
押下時間判定部１１は、リモコン受光部７で受信した信号から、リモコン１０の特定のボタン、具体的には電子番組表をスクロールするボタンが所定時間以上、押下されているか否かを判定するものである。そして、押下時間判定部１１は、上記ボタンが所定時間以上、押下されていると判定すると、その旨を高速スクロール処理部１２へ通知する。
【００７３】
高速スクロール処理部１２は、押下時間判定部１１から、電子番組表をスクロールするボタンが所定時間以上、押下されているとの通知を取得すると、電子番組表のスクロールを高速スクロールで実行するものである。ここで、高速スクロールとは、電子番組表のスクロールを１番組ごとではなく、所定の範囲ごとにスクロールすることを言う。高速スクロールにおける具体的な処理、およびそのときに表示される画面例については後述する。
【００７４】
リモコン受光部７は、リモコン１０からの信号を受信し、その内容を電子番組表処理部６に送信するものである。
【００７５】
（テレビ装置１におけるスクロール処理の流れ）
次に、図２〜１０を用いて、テレビ装置１における電子番組表のスクロール処理の流れについて説明する。図２、３、４は、テレビ装置１における電子番組表のスクロール処理の流れを示すフローチャートである。より詳細には、図２は、電子番組表を表示中に、リモコン受光部７で、リモコン１０から、電子番組表を時間方向にスクロールさせるボタン（スクロールボタン）が押下されていることを示す信号を受信し続けたときの処理の流れを示すフローチャートである。
【００７６】
また、図３は、電子番組表を表示中に、リモコン受光部７で、リモコン１０から、電子番組表を時間方向にスクロールさせるスクロールボタンが押下されていることを示す信号を１回だけ受信したときの処理の流れを示すフローチャートである。また、図４は、高速スクロール処理を実行するときの処理の流れを示すフローチャートである。
【００７７】
まず、スクロールボタンが１回だけ押下された場合のカーソル移動およびスクロールの動作を説明する。図３に示すように、テレビ装置１の電子番組表処理部６は、電子番組表を表示中に、リモコン受光部７で、リモコン１０から、電子番組表を時間方向にスクロールさせるボタン（スクロールボタン）が押下されていることを示す信号を受信すると（スクロール受付ステップ）、電子番組表におけるカーソル位置（番組枠の強調表示）が電子番組表の下端にあるか否かを判定する（Ｓ５）。カーソル位置が電子番組表の下端にない場合（Ｓ５でＮＯ）、電子番組表におけるカーソル位置を下に移動させる（Ｓ１）。
【００７８】
一方、カーソル位置が電子番組表の下端にある場合（Ｓ５でＹＥＳ）、通常スクロールを行う（Ｓ２、スクロールステップ）。ここで、通常スクロールとは、電子番組表を所定の時間毎に順次ずらして表示していくことをいう。
【００７９】
図５〜８を用いて、カーソル位置の移動について具体的に説明する。図５〜８は、スクロールボタンが押下されたときの電子番組表におけるカーソル位置を示す表示画面例を示す図である。まず、電子番組表が表示されたときは、図５の表示画面例４０１に示すように、現在時刻において、選択されている番組の番組枠が強調表示されている。ここでは、現在時刻である午後２時０３分に対応する午後２時の１０チャンネルの番組枠４１が強調表示されている。
【００８０】
そして、スクロールボタンが押下されていることを示す信号を受け付けると、図６の表示画面例５０１に示すように強調表示される番組枠が、番組枠４１から１番組分、時間方向にずれて、番組枠５１となる。さらに、スクロールボタンが押下されていることを受け付けると、強調表示される番組枠は、図７の表示画面例６０１に示すように、表示されている電子番組表の下端である番組枠６１となる。さらに、スクロールボタンが押下されていることを受け付けると通常スクロール処理に入る。図８は、通常スクロール処理で電子番組表が１時間分ずれて表示され、カーソル位置が７時の番組にあることを示している。この後、スクロールボタンを１回押下される毎に通常スクロール処理を繰り返す。
【００８１】
次に、スクロールボタンを押下し続ける場合の処理を図２で示す。スクロールボタンが押下されていることを受け付けると、図６の表示画面例５０１に示すように強調表示される番組枠が、番組枠４１から１番組分、時間方向にずれて、番組枠５１となる。さらに、スクロールボタンが押下されていることを受け付け続けると、強調表示される番組枠は、図７の表示画面例６０１に示すように、表示されている電子番組表の下端である番組枠６１となる。さらに、スクロールボタンが押下されていることを受け付け続けると図８に示すように通常スクロール処理に入る。
【００８２】
通常スクロール処理に入ると、電子番組表処理部６の押下時間判定部１１は、通常スクロール処理に入ってからのスクロールボタンの押下時間が所定時間以上となったか否かを判定する。ここで、所定時間とは、例えば１秒である。なお、所定時間は、これに限られず、例えば、３秒等、任意に設定できる。
【００８３】
そして、スクロールボタンの押下時間が所定時間以上になったと判定すると（Ｓ３でＹＥＳ）、電子番組表処理部６の高速スクロール処理部１２は、電子番組表を高速にスクロールする高速スクロール処理を実行する（Ｓ４、スクロールステップ）。このとき、カーソルは表示されていてもよいし、表示されていなくてもよい。
【００８４】
高速スクロール処理の流れについて、図４を用いて説明する。図４に示すように、高速スクロール処理部１２は、まず、時間表示アイコンを電子番組表に重畳して表示する（Ｓ１１）。時間表示アイコンが電子番組表に重畳して表示された画面例を図９に表示画面例７０１として示す。ここでは、時間表示アイコン７１は、アナログ時計形式のアイコンであり、その大きさは、縦が時間枠で３時間分、横が１チャンネル分程度である。なお、時計表示アイコンは、これに限られず、任意の大きさとすることができる。また、表示位置も画面中央に限らず、任意の位置に表示することができる。
【００８５】
次に、高速スクロール処理部１２は、強調表示されている番組枠の時間であるカーソル表示時間を変数として設定する（Ｓ１２）。そして、その変数を参照して時間表示アイコンに時間を表示する（Ｓ１３、時刻表示制御ステップ）。図９の表示画面例７０１では、カーソル表示時間が午後７時なので、変数が午後７時に設定され、時間表示アイコン７１は、午後７時を示す表示となる。
【００８６】
そして、高速スクロール処理部１２は、スクロールボタンの押下時間が所定時間を超える毎に、変数を１時間ずつ更新して、時間表示アイコンに表示させる（Ｓ１４）。なお、変数の更新は１時間ずつに限定されず、任意の時間間隔を設定することができる。
【００８７】
図１０に、図９に示す状態から３時間分、高速スクロールが進んだ状態を示す。図１０に示す表示画面例８０１では、時間表示アイコン８１の示す時刻が、時間表示アイコン７１から３時間進んで１０時となった状態を示している。
【００８８】
その後、スクロールボタンの押下が終了する前に、変数が午前０時となると（Ｓ１５でＮＯ、Ｓ１６でＹＥＳ）、高速スクロール処理部１２は、日付および曜日を示す日付アイコンを電子番組表に重畳して表示する（Ｓ１７）。日付アイコンが電子番組表に重畳して表示された画面例を図１２に示す。図１２の表示画面例１００１では、電子番組表の中央部分に日付アイコン１０１が表示されている。ここでは、日付アイコン１０１は、２７日木曜日であること示している。また、日付アイコン１０１の大きさは、縦が時間枠で３時間分、横が３チャンネル分である。なお、日付アイコンは、これに限られず、任意の大きさとすることができる。また、表示形式も上記形態に限られるものではなく、日付だけを表示するものであってもよいし、月まで表示するものであってもよい。また、表示位置も画面中央に限らず、任意の位置に表示することができる。
【００８９】
そして、高速スクロール処理部１２は、スクロールボタンの押下が終了したことを受け付けると（Ｓ１５でＹＥＳ）、そのときの変数が示す時刻の番組枠が強調表示された電子番組表を表示させる（Ｓ１８、電子番組表表示制御ステップ）。以上で、テレビ装置１におけるスクロール処理が終了する。
【００９０】
以上のように、本実施の形態では、スクロールボタンが押下され続けていると、まず、番組枠毎に強調表示がずれていく。その後、通常スクロールが実行される。そして、通常スクロール実行後、所定の時間が経過すると、高速スクロールが実行される。
【００９１】
そして、高速スクロールでは、電子番組表の中央部分にスクロールしている時刻が１時間ごとに表示され、スクロールボタンの押下の終了により、終了時点における番組枠が強調表示される。
【００９２】
これにより、ユーザに対し、高速スクロール中に、スクロールしている時刻を適切かつ容易に認識させることができるとともに、ユーザが目的とする時刻の番組枠を強調表示した電子番組表を表示させることができる。
【００９３】
（付記事項１）
上述した実施の形態では、時間表示アイコンがアナログ時計形式の場合を説明したが、時間表示アイコンは、これに限られない。時間表示アイコンは、例えば、デジタル時計形式であってもよい。図１１を用いて説明する。図１１は、時間表示アイコンが、デジタル時計形式の場合を示す。図１１の表示画面例９０１では、時間表示アイコン９１が、デジタル時計形式で、電子番組表の中央部分に表示されている。時間表示アイコン９１の大きさは、縦が、時間枠で４時間分、横が５チャンネル分である。
【００９４】
なお、時間表示アイコンは、これに限られず、時間表示できる形式であれば、どのような形式であってもよい。また、時間表示アイコンの大きさは、任意の大きさとすることができる。また、表示位置も画面中央に限らず、任意の位置に表示することができる。
【００９５】
（付記事項２）
また、電子番組表が、番組枠毎に番組のジャンル等に応じて色分けされていてもよい。図１３を用いて説明する。図１３は、番組内容に応じて色分けされた電子番組表の一部を示す図である。図１３の表示画面例１１０１では、ドラマを黄色、バラエティを青、ニュース・天気予報等の情報番組を白で、番組枠の左辺部分が色分けされている。また、電子番組表に重畳して時間表示アイコン１１５が表示されている。
【００９６】
これにより、高速スクロール中で、ユーザに対し、番組内容を示す文字情報を認識させることができない場合であっても、電子番組表の色を認識させることがきる。よって、ユーザに対し、高速スクロール中でも、番組のジャンルを認識させることができる。
【００９７】
なお、色分けは、上記の方法に限られず、例えば、番組枠の右辺が色分けされているものであってもよいし、番組枠の内側の領域全体が色づけされているものであってもよい。
【００９８】
また、電子番組表が色分けされている場合に、高速スクロールが実行されると、文字情報を空白にし色情報のみスクロールされるものであってもよい。これにより、文字情報をスクロールする処理が不要となるので、処理負荷を軽くすることができる。
【００９９】
（付記事項３）
また、上述した実施の形態は、電子番組表が、日付毎にタブ形式で表示されるものの場合にも適用することができる。日付毎にタブ形式で表示される電子番組表の例を図１４に示す。図１４に示すように、表示画面例１２０１では、１日分の電子番組表が１シートになっており、日付をタブ２０１により変更できるようになっている。また、電子番組表に重畳して時間表示アイコン１２１が表示されている。
【０１００】
このような、日付毎にタブ形式で表示される電子番組表の場合は、スクロールボタンが押下された場合に、１日の最後の番組枠までカーソル位置が移動すると、タブを切り替えて次の日の最初の番組枠からスクロールするようにすることで、上記実施の形態と同じ効果を奏することができる。
【０１０１】
また、高速スクロールの場合は、表示時間のみ進行させるので、スクロールボタンの押下が終了した時点における日付のタブを前面に表示すればよい。
【０１０２】
（付記事項４）
また、上述した実施の形態では、縦が時間軸、横がチャンネル番号軸とした電子番組表を例に説明したが、電子番組表の形式はこれに限られるものではない。例えば、縦がチャンネル番号軸、横が時間軸の電子番組表であってもよい。さらに、電子番組表はマトリクス状で限られるものではない。
【０１０３】
（付記事項５）
また、上述した実施の形態では、通常スクロールが所定の時間以上続くと、高速スクロールが実行される構成として説明したが、高速スクロールの実行はこれに限られるものではない。リモコンに高速スクロールボタンを備え、当該高速スクロールボタンが押下されていることを受け付けると、最初から高速スクロールを実行するものであってもよい。
【０１０４】
また、リモコンにジョグダイヤルを備え、ジョグダイヤルが回転されるスピードに応じ、ジョグダイヤルの回転速度が所定値以下の場合は通常スクロールを実行し、ジョグダイヤルの回転速度が所定値より大きい場合は高速スクロールを実行するものであってもよい。
【０１０５】
（付記事項６）
また、上述した実施の形態では、高速スクロール中に、電子番組表の番組内容を示す文字情報がスクロールする構成について記載したが、例えば、電子番組表の時間軸およびチャンネル番号軸のみ残し、残りを空白状態にし、時間表示アイコンを表示して高速スクロールする構成であってもよい。この構成の電子番組表の表示画面例１５０１を図１５に示す。表示画面例１５０１では、番組の文字情報の部分が空白となり時間表示アイコン１５１が表示されている。
【０１０６】
なお、図１５では番組の文字情報の部分が完全に空白となっているが、番組毎の境界やチャンネルの境界を示す枠線だけ残す構成であってもよい。あるいは、図１５で表示されている時刻や日付を示す左右両端の文字情報も空白とする構成としてもよい。
【０１０７】
これにより、文字情報をスクロールする処理を行う必要がなくなるので、処理負荷を軽くすることができる。
【０１０８】
本発明は上述した実施の形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１０９】
（付記事項７）
また、高速スクロール処理部１２が表示部４に表示させる時間表示アイコンは、アナログ時計形式、およびデジタル時計形式の両方を含むものであってもよい。図１６に、時間表示アイコンに、アナログ時計形式およびデジタル時計形式の両方が含まれる場合を示す。図１６に示す表示画面例１６０１では、時計表示アイコンの、アナログ時計形式部分１６１１で７時を示すとともに、デジタル時計形式部分１６１２で「午後７：００」と示している。
【０１１０】
これにより、ユーザは、視覚的に、容易に７時であることを認識することができるとともに、午後７時であることを明確に認識することができる。
【０１１１】
また、時計表示アイコンのデジタル時計形式部分に、日付が含まれていてもよい。デジタル時計形式の部分に、日付が含まれている例を図１７に示す。図１７の表示画面例１７０１では、デジタル時計形式部分１７１２に「２０１０年４月２６日（月）午後７：００」と示されている。これにより、ユーザは、年月日まで明確に認識することができる。
【０１１２】
（付記事項８）
また、高速スクロール処理部１２が表示部４に表示させる時計アイコンがアナログ時計形式の場合に、午前と午後とで、アナログ時計の時計部分の領域の色を変更する構成であってもよい。図１８を参照して説明する。図１８の表示画面例１８０１に示すように、時間表示アイコン１８１１のアナログ時計領域１８１２の色を、午前と午後とによって変更する。
【０１１３】
これにより、ユーザは、時間表示アイコンが示している時間が午前であるの、または午後であるのかを容易に認識することができる。
【０１１４】
（付記事項９）
また、高速スクロール処理部１２が表示部４に表示させる時間表示アイコンの下部に、日中か夜間かを示すイメージを表示させる構成であってもよい。これは、日中および夜間の時間帯にそれに対応するイメージを割り当て、表示制御部３が、表示している時間帯に応じて当該イメージを表示することにより実現できる。
【０１１５】
この例を具体的な様子を、図１９、２０を参照して説明する。ここでは、日中を示すイメージとして太陽を、夜間を示すイメージとして月を用いている。
【０１１６】
図１９に示す表示画面例１９０１では、アナログ時計形式の時間表示アイコン１９１１の下部に日中夜間イメージ表示１９１２が表示されている。そして、日中夜間イメージ表示１９１２において、太陽が前面に表示されているので、午前７時を示している。
【０１１７】
日中夜間イメージ表示は、太陽と月とがサークル状に対向した位置で配置されている。また、サークルは、表示画面に対し、垂直に近い面がサークル面となるような表示となっており、太陽が最も前面に表示されているときは、月が最も遠くの位置に配置されているように表示される。
【０１１８】
そして、太陽および月は２４時間で１回転し、昼の１２時（午後１２時）に太陽が最も前面に表示され、夜の１２時（午前０時）に月が最も前面に表示される。すなわち、午前６時から午後６時までは、太陽が前面となり、午後６時から午前６時までは、月が前面となる。
【０１１９】
したがって、図２０の表示画面例２００１では、日中夜間イメージ表示２０１２において、月が前面に表示されているので、午後７時であることを示している。
【０１２０】
なお、日中および夜間の判別ではなく、午前および午後の判別をイメージにより行う構成であってもよい。すなわち、午前０時から午後１２時までと午後１２時から午前０時までとで、異なるイメージを割り当てて、これらをサークル状に配置して、回転させる構成であってもよい。
【０１２１】
また、イメージが割り当てられる時間帯は２つに限られず、いくつであってもよい。
【０１２２】
（付記事項１０）
また、高速スクロール処理部１２が表示部４に表示させる時間表示アイコンの下部に、日付を示す日付バーを表示する構成であってもよい。図２１を参照して説明する。図２１に示す表示画面例２１０１では、時間表示アイコン２１１１の下部に８日分の日付を示す日付バー２１１２が表示されている。
【０１２３】
日付バー２１１２は、図２１に示すように、横方向にバーが８等分されており、それぞれに日付が割り当てられている。表示画面例２１０１では、２４日〜３１日が割り当てられており、２６日であることを示している。これにより、ユーザに対し、日付を視覚的に容易に認識させることができる。
【０１２４】
（付記事項１１）
また、電子番組表の時間軸およびチャンネル番号軸のみ残し、残りの領域に日付を示すカレンダーを表示する構成であってもよい。図２２を参照して説明する。図２２に示す表示画面例２２０１では、時間表示アイコン２２１１の背部にカレンダー２２１２が表示されている。
【０１２５】
カレンダーは、例えば、８日分の日付領域と表示棒とからなり、日付領域における表示棒の位置によって、日付を示すものである。表示画面例２２０１のカレンダー２２１２では、表示棒２２１３が２６日の領域に位置しているので、２６日であることを示している。また、表示棒２２１３は、スクロールとともに日付領域を、２４日→２５日→２６日→…、と移動するものである。
【０１２６】
〔実施の形態２〕
本発明の他の実施の形態について図２３から図３３に基づいて説明すれば、以下のとおりである。なお、説明の便宜上、上記の実施の形態１において示した部材と同一の機能を有する部材には、同一の符号を付し、その説明を省略する。
【０１２７】
本実施の形態において、上記実施の形態１と異なるのは、時間軸方向に加え、チャンネル軸方向にも、カーソル移動、低速スクロール、および高速スクロールする点である。
【０１２８】
近年、インターネットを介したネットテレビ、ＣＳ放送、ＢＳ放送など、テレビのチャンネルの多様化に伴いチャンネル数が増加している。これにより、電子番組表を一画面で行うことが困難になってきており、何ページにもわたって、表示されている場合もある。したがって、電子番組表をチャンネル軸方向にスクロールさせるときに、時間軸方向にスクロールする場合と同様に、スクロールを停止したら電子番組表のどの部分が画面に表示されるのかを、ユーザに容易に認識させることができれば、利便性・操作性が向上する。
【０１２９】
チャンネル軸方向に、カーソル移動、低速スクロール、および高速スクロールする場合の表示画面例について、図２４〜２７を参照して説明する。
【０１３０】
まず、図２４の表示画面例２４０１に示すように、現在時刻において、選択されている番組の番組枠が強調表示されている。ここでは、現在時刻である午後２時０３分に対応する午後２時の１０チャンネルの番組枠２３１１が強調表示されている。
【０１３１】
そして、チャンネル軸の右方向に対応するスクロールボタンが押下されていることを示す信号を受け付けると、強調表示される番組枠が１チャンネル分、右方向にずれる。さらに、チャンネル軸の右方向に対応するスクロールボタンが押下されていることを受け付けると、同様に強調表示される番組枠がチャンネル軸の右方向にずれ、強調表示される番組枠が表示画面の右端になり、図２５の表示画面例２５０１の番組枠２５１１のようになる。さらに、スクロールボタンが押下されると、図２６の表示画面例２６０１に示すように、電子番組表自体が、チャンネル軸の左側方向に１チャンネル分ずつ、移動していく。
【０１３２】
そして、そのまま、スクロールボタンが押下され続けると、図２７の表示画面例２７０１に示すように時間軸およびチャンネル番号軸を残し、チャンネル番号軸２７１２のみをスクロールさせるとともに、チャンネル番号軸の右端のチャンネル番号枠を強調表示する。さらに、残りの領域に、強調表示しているチャンネル番号枠が示すチャンネルのチャンネル情報を示すチャンネル表示アイコン２６１１をスクロールされる順に表示させる。
【０１３３】
表示画面例２７０１では、チャンネル番号２、３桁番号１０３の「××××テレビ」のロゴおよび名称がチャンネル表示アイコンとして表示されている。
【０１３４】
また、スクロール方向が反対方向、すなわち左方向であれば、強調表示される番組枠が左方向に移動し、左端までくると、チャンネル軸のみがスクロールするとともに、チャンネル軸の右端のチャンネル番号枠が強調表示される。
【０１３５】
次に、本実施の形態における高速スクロール処理の流れについて、図２３を参照して説明する。図２３は、高速スクロール処理の流れを示すフローチャートである。なお、高速スクロール処理に入るまでの処理の流れは、図２と同様である。
【０１３６】
高速スクロールに入ると、高速スクロール処理部１２は、スクロール方向が時間軸方向か否かを判定する（Ｓ２１）。スクロール方向が時間軸方向であれば（Ｓ２１でＹＥＳ）、図４のステップＳ１１に進む。
【０１３７】
一方、スクロール方向が時間軸方向でなければ（Ｓ２１でＮＯ）、すなわち、スクロール方向がチャンネル軸方向であれば、高速スクロール処理部１２は、チャンネル表示アイコンを表示する（Ｓ２２、表示画面例２７０１）。
【０１３８】
次に、高速スクロール処理部１２は、チャンネル表示アイコンによって表示されているチャンネル番号を変数として設定する（Ｓ２３）。そして、その変数を参照して当該チャンネルを示すチャンネル表示アイコンを表示する（Ｓ２４）。図２７の表示画面例２７０１では、チャンネル表示アイコンが示すチャンネル番号が１０なので、変数が１０に設定される。そして、高速スクロール処理部１２は、スクロールボタンの押下時間が所定時間を超える毎に、変数を更新して、更新後のチャンネルに対応するチャンネル表示アイコンを表示させる（Ｓ２５）。
【０１３９】
そして、高速スクロール処理部１２は、スクロールボタンの押下が終了したことを受け付けると（Ｓ２６でＹＥＳ）、そのときの変数が示すチャンネル番号がチャンネル軸の中央となる電子番組表を表示させる（Ｓ２７）。以上が、高速スクロール処理の流れである。
【０１４０】
なお、カーソル移動→低速スクロール→高速スクロールという順番を経ずに、高速スクロールボタン等を設けて、直接、高速スクロールに行う構成であってもよい。
【０１４１】
（付記事項１２）
上述した実施の形態では、チャンネル表示アイコンを１つだけ表示し、これを切り替える構成について説明したが、これとは異なる表示を行う構成であってもよい。例えば、放送局それぞれのロゴを示すロゴアイコンを一覧表示して、そのうちの１つを強調表示し、スクロールボタンの押下時間が所定時間を経過する毎に、強調表示されるロゴアイコンを移動させていってもよい。移動方向は、例えば、ラスタスキャン順を挙げることができる。
【０１４２】
ロゴアイコンを一覧表示する場合の例を、図２８を参照して説明する。図２８の表示面例２８０１の場合は、ロゴアイコンの一覧表示２８１１のうち、表示画面左上のロゴアイコンが強調表示されている。そして、この強調表示が、スクロールボタンの押下時間が所定時間を経過する毎に、右のロゴアイコンにずれていく。そして、強調表示されるロゴアイコンが右端までくると、２段目の左端のロゴアイコンが次に強調表示される。
【０１４３】
さらに、表示画面例２８０１では、強調表示されているロゴアイコンと対応するチャンネルのチャンネル情報（チャンネル番号、３桁番号、放送局名）が表示部下部に表示されている。
【０１４４】
これにより、ユーザは、スクロール終了後に表示されるチャンネルを視覚的に容易に認識することができるとともに、所望のチャンネルまでのスクロール量を容易に認識することができる。
【０１４５】
さらに、放送局の数が多く、表示するロゴアイコンが一画面に収まらないとき、一画面に収まっていないことを示すアイコンを表示する構成であってもよい。
【０１４６】
例えば、表示するロゴアイコンが複数ページにわたる場合、１ページ目の右下のアイコンを、ロゴアイコンが重なっているような表示にし、途中ページについては、左上のアイコンと右下のアイコンとを同様にロゴアイコンが重なっているような表示とし、最終ページについては、左上のアイコンのみ、ロゴアイコンが重なっている表示とする。
【０１４７】
図２９を参照して説明する。図２９の表示画面例２９０１では、複数のロゴアイコンが一覧表示（一覧表示２９１１）されるとともに、左上および右下のアイコンが、ロゴアイコンが重なっているような表示となっている。さらに、表示部下部には、強調表示されているロゴアイコンと対応するチャンネルのチャンネル情報とともに、ロゴアイコンの一覧表示が全体で何ページあり、現在表示しているのが何ページ目であるのかを示している。ここでは、全ページが４頁であり、現在表示しているのが２ページ目であることが示されている。
【０１４８】
そして、強調表示されているロゴアイコンが右下まで進んだ状態で、さらにスクロールボタンが押下され続けた場合、次のページのロゴアイコン一覧が表示されるとともに、当該ページの左上のアイコン（ロゴアイコン）が強調表示される。
【０１４９】
また、例えば、表示するロゴアイコンが複数ページにわたる場合、１ページ目の右下に続きがあることを示すアイコン（例えば、右向きの矢印）を表示し、途中ページについては、左上に前に続きがあることを示すアイコン（例えば、左向きの矢印）を表示するとともに、右下に続きがあることを示すアイコンを表示し、最終ページについては、左上に続きあることを示すアイコンを表示してもよい。
【０１５０】
図３０を参照して説明する。図３０の表示画面例３００１では、複数のロゴアイコンが一覧表示（一覧表示３０１１）されるとともに、表示部の左上に矢印３０１２が、右下に矢印３０１３が表示されえている。これにより、このページには、前のページと後のページとが存在していることをユーザに認識させることができる。
【０１５１】
（付記事項１３）
また、それぞれの放送局を示すロゴアイコンをサークル状に表示する構成であってもよい。図３１を参照して説明する。図３１の表示画面例３１０１では、ロゴアイコンがサークル状に配置されており（サークル状一覧表示３１１１）、下部中央に位置するロゴアイコンが強調表示されている。サークルは、下部中央が最も前面となり、上部中央が最も後となるような形状である。さらに、表示部下部に強調表示されているロゴアイコンと対応する放送局のチャンネル情報が表示されている。
【０１５２】
そして、スクロールボタンが押下され続けると、サークルが回転し、下部中央に配置されるロゴアイコンが入れ替わる。なお、サークルの下部中央から離れるにしたがって、表示が薄くなっていく構成であってもよい。
【０１５３】
これにより、視覚的に放送局をわかりやすく表示することができる。
【０１５４】
また、放送局の数が多く、ロゴアイコンがサークル状に表示しきれない場合、サークル状の上部付近のロゴアイコンを重ねて表示する構成であってもよい。図３２を参照して説明する。図３２の表示画面例３２０１では、サークル状の上部付近のロゴアイコンが重ねて表示されている（サークル状一覧表示３２１１）。
【０１５５】
この場合、ロゴアイコンの移動は次のようになる。スクロールボタンが押下されることにより、サークルが回転し、後部（上部）のロゴアイコンが重なっている位置まで移動したロゴアイコンは、その位置で、所定の数のロゴアイコンが当該ロゴアイコンの前面に重ねられるまで停止する。所定の数のロゴアイコンが当該ロゴアイコンの前面に重ねられると、当該ロゴアイコンはサークル状で回転し、次の位置のロゴアイコンの前面に配置される。その後は同様の動作を繰り返し、所定の数のロゴアイコンが当該ロゴアイコンの前面に重ねられると、サークル状の次の位置に移動する。
【０１５６】
また、サークル状のロゴアイコンを大きさを、下部（前面）は大きく、下部から離れるしたがって小さくする構成であってもよい。ロゴアイコンの大きさを変える例を図３３に示す。図３３の表示画面例３３０１では、下部に配置されているロゴアイコンが最も大きく、下部から離れるにしたがって、ロゴアイコンの大きさが小さくなっている（サークル状一覧表示３３１１）。これにより、ユーザに対し、スクロールを停止したときに表示される電子番組表のチャンネルを容易に認識させることができるとともに、視覚的にユーザを楽しませることができる。
【０１５７】
〔実施の形態３〕
本発明の他の実施の形態について図３４から図３９に基づいて説明すれば、以下のとおりである。なお、説明の便宜上、上記の実施の形態１において示した部材と同一の機能を有する部材には、同一の符号を付し、その説明を省略する。
【０１５８】
本実施の形態において、上記実施の形態１、２と異なるのは、高速スクロール処理部１２が高速スクロール中に、表示制御部（予約識別情報表示手段）３が表示部４に予約識別情報を表示する点である。詳細は後述するが、予約識別情報は、時間表示アイコンに関連させて表示させてもよいし、時間表示アイコンとは独立に表示させてもよい。ここで、予約識別情報とは、番組の視聴予約、録画予約等の予約がされている場合に、これらの時間帯を識別するための情報である。
【０１５９】
予約識別情報を表示することにより、高速スクロール中であっても、ユーザに対し、予約がされている時間帯を提示することができる。よって、ユーザは、高速スクロール中であっても、予約がされている時間でスクロールを停止して、予約番組を確認することができる。
【０１６０】
予約識別情報の表示は、テレビ装置１で視聴または録画の予約を行う場合や、テレビ装置１の外部で録画する場合であっても、録画の指示をテレビ装置１で行う場合に可能である。
【０１６１】
（表示例１）
予約識別情報を表示する第１の例について、図３４を参照して説明する。図３４の表示画面例３４０１では、時間表示アイコンとしてアナログ時計表示アイコン３４０２が表示されている。そして、本表示例では、予約がある場合とない場合とで、アナログ時計表示アイコン３４０２における針部３４０３の表示の色を変える。例えば、通常の状態では針部３４０３の色を黒で表示し、予約がある時間帯は針部３４０３の色を赤で表示する。
【０１６２】
これにより、高速スクロール中、通常の時間帯は針部３４０３が黒色で表示され、予約がある時間帯は針部３４０３が赤色で表示されることになる。よって、ユーザは、針部３４０３の色を認識することにより、高速スクロール中に、現在スクロール中の時間帯が、予約がされている時間帯であるか否かを容易に認識することができる。
【０１６３】
（表示例２）
次に、予約識別情報を表示する第２の例について、図３５を参照して説明する。図３５の表示画面例３５０１では、時間表示アイコンとしてアナログ時計表示アイコン３５０２が表示されている。そして、本表示例では、予約がある時間帯を示す予約時間表示３５０３が、アナログ時計表示アイコン３５０２の外周部に表示されている。
【０１６４】
表示画面例３５０１では、２時から３時までと６時から８時までが予約されている時間帯として表示されている。
【０１６５】
なお、アナログ時計表示アイコン３５０２は、１２時間表示なので、高速スクロール中に１２時の表示を超えると、次の１２時間分における予約されている時間帯が表示される。
【０１６６】
これにより、ユーザは、高速スクロール中、予約されている時間帯を視覚的に、容易に認識することができる。
【０１６７】
（表示例３）
次に、予約識別情報を表示する第３の例について、図３６を参照して説明する。図３６の表示画面例３６０１では、時間表示アイコンとしてアナログ時計表示アイコン３６０２が表示されている。そして、本表示例では、予約がある時間帯を示す予約時間表示３６０３が、アナログ時計表示アイコン３６０２の内部領域に表示されている。
【０１６８】
表示画面例３６０１では、２時から３時までと６時から８時までが予約されている時間帯として表示されている。
【０１６９】
なお、アナログ時計表示アイコン３６０２は、アナログ時計表示アイコン３５０２と同様に１２時間表示なので、高速スクロール中に１２時の表示を超えると、次の１２時間分における予約されている時間帯が表示される。
【０１７０】
これにより、ユーザは、高速スクロール中、予約されている時間帯を視覚的に、容易に認識することができる。
【０１７１】
（表示例４）
次に、予約識別情報を表示する第４の例について、図３７を参照して説明する。図３７の表示画面例３７０１では、時間表示アイコンとしてアナログ時計表示アイコン３７０２が表示されている。そして、本表示例では、予約がある時間帯を示す予約時間表示３７０３、３７０４が、アナログ時計表示アイコン３７０２の外周部に表示された複数の輪の中に表示されている。この複数の輪は年輪状に表示されており、一番内側の輪が現在時刻から１２時までを示し、内側から２番目の輪が１２時から次の１２時までの１２時間を示すというように、現在時刻から１２時間分ごとの時間帯を示している。
【０１７２】
また、複数の輪のうち、現在スクロール中の時間帯に対応する輪に表示されている予約時間帯表示は、他の輪に表示されている予約時間帯表示と異なる色で表示されている。表示画面例３７０１に示す例では、内側から２番目の輪に表示されている予約時間帯表示３７０５が他の予約時間帯表示３７０４と異なる色で表示されている。よって、この場合は、現在時刻から一度１２時を過ぎ、その後さらに１２時を過ぎるまでの時間帯を、現在スクロール中であること示している。
【０１７３】
なお、表示画面例３７０１では、年輪状の輪は４重（すなわち、２日分）で表示されているが、輪の数はこれに限られない。例えば８日分（１６重）表示すれば、現在、電子番組表が配信されている日数と同じとすることができ、配信されている電子番組表分の予約時間帯を識別するための情報は全て表示するということができる。
【０１７４】
また、年輪状の輪の部分の日付を示す日付表示を行ってもよい。日付を表示することで、当該輪の部分が何日を示しているかを、ユーザに対し容易に認識させることができる。
【０１７５】
（表示例５）
次に、予約識別情報を表示する第５の例について、図３８を参照して説明する。図３８の表示画面例３８０１では、時間表示アイコンとしてアナログ時計表示アイコン３８０２が表示されているとともに、アナログ時計表示アイコン３８０２の背後にカレンダー３８０３が表示されている。
【０１７６】
カレンダーは、例えば、８日分の日付領域と表示棒とからなり、日付領域における表示棒の位置によってスクロール中の日付を示し、表示棒がスクロールとともに日付領域を移動するものである。表示画面例３８０１のカレンダー３８０３では、表示棒３８０４が５日目の後半に位置しているので、現在スクロール中の位置が現在時刻から５日目の後半であることを示している。
【０１７７】
そして、本表示例では、予約がある時間帯を示す予約時間表示３８０５が、カレンダー３８０３内に表示されている。表示画面例３８０１では、３日目の後半と７日目のほぼ全体が予約されている時間帯であることが示されている。
【０１７８】
（表示例６）
次に、予約識別情報を表示する第６の例について、図３９を参照して説明する。図３９の表示画面例３９０１では、時間表示アイコンとしてアナログ時計表示アイコン３９０２が表示されているとともに、アナログ時計表示アイコン３９０２の下部に８日分の日付を示す日付バー３９０３が表示されている。
【０１７９】
日付バー３９０３は、横方向にバーが８等分されており、それぞれに日付が割り当てられているとともに、現在スクロール中の日付に対応する領域を他の領域と異なる表示をするものである。表示画面例３９０１では、１７日に対応する領域が他の領域と異なる表示となっているので、現在、１７日をスクロール中で有ることを示している。
【０１８０】
そして、本表示例では、予約がある時間帯を示す予約時間表示３９０４が、日付バー３９０３の内部領域に表示されている。表示画面例３９０１では、１８日の後半と２１日のほぼ全体が予約されている時間帯であることが示されている。
【０１８１】
（ソフトウェアによる構成）
最後に、テレビ装置１の各ブロック、特に表示制御部３、および電子番組表処理部（押下時間判定部１１、高速スクロール処理部１２）６は、集積回路（ＩＣチップ）上に形成された論理回路によってハードウェア的に実現していてもよいし、ＣＰＵ（central processing unit）を用いてソフトウェア的に実現してもよい。
【０１８２】
後者の場合、テレビ装置１は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるテレビ装置１の制御プログラムのプログラムコード（実行形式プログラム、中間コードプログラム、ソースプログラム）をコンピュータで読み取り可能に記録した記録媒体を、上記テレビ装置１に供給し、そのコンピュータ（またはＣＰＵやＭＰＵ（microprocessor unit））が記録媒体に記録されているプログラムコードを読み出し実行することによっても、達成可能である。
【０１８３】
上記記録媒体としては、例えば、磁気テープやカセットテープ等のテープ類、フロッピー（登録商標）ディスク／ハードディスク等の磁気ディスクやＣＤ−ＲＯＭ（compact disc read-only memory）／ＭＯ（magneto-optical）／ＭＤ（Mini Disc）／ＤＶＤ（digital versatile disk）／ＣＤ−Ｒ（CD Recordable）等の光ディスクを含むディスク類、ＩＣカード（メモリカードを含む）／光カード等のカード類、マスクＲＯＭ／ＥＰＲＯＭ（erasable programmable read-only memory）／ＥＥＰＲＯＭ（electrically erasable and programmable read-only memory）／フラッシュＲＯＭ等の半導体メモリ類、あるいはＰＬＤ（Programmable logic device）やＦＰＧＡ（Field Programmable Gate Array）等の論理回路類などを用いることができる。
【０１８４】
また、テレビ装置１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ（local area network）、ＩＳＤＮ（integrated services digital network）、ＶＡＮ（value-added network）、ＣＡＴＶ（community antenna television）通信網、仮想専用網（virtual private network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ（institute of electrical and electronic engineers）１３９４、ＵＳＢ、電力線搬送、ケーブルＴＶ回線、電話線、ＡＤＳＬ（asynchronous digital subscriber loop）回線等の有線でも、ＩｒＤＡ（infrared data association）やリモコンのような赤外線、Ｂｌｕｅｔｏｏｔｈ（登録商標）、ＩＥＥＥ８０２．１１無線、ＨＤＲ（high data rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１８５】
電子番組表を高速にスクロールした場合でも、適切かつ容易にスクロールしている時間を認識できるので、電子番組表を表示するデジタル放送対応テレビ等に好適である。
【符号の説明】
【０１８６】
１    テレビ装置（テレビジョン受像機）
３    表示制御部（時刻表示制御手段、電子番組表表示制御手段、チャンネル表示制御手段、予約識別情報表示手段）
５    番組情報記憶部
６    電子番組表処理部（スクロール受付手段、スクロール手段）
１１    押下時間判定部
１２    高速スクロール処理部（スクロール手段）
【図１】
2015039090.tif 000003
【図２】
2015039090.tif 000004
【図３】
2015039090.tif 000005
【図４】
2015039090.tif 000006
【図５】
2015039090.tif 000007
【図６】
2015039090.tif 000008
【図７】
2015039090.tif 000009
【図８】
2015039090.tif 000010
【図９】
2015039090.tif 000011
【図１０】
2015039090.tif 000012
【図１１】
2015039090.tif 000013
【図１２】
2015039090.tif 000014
【図１３】
2015039090.tif 000015
【図１４】
2015039090.tif 000016
【図１５】
2015039090.tif 000017
【図１６】
2015039090.tif 000018
【図１７】
2015039090.tif 000019
【図１８】
2015039090.tif 000020
【図１９】
2015039090.tif 000021
【図２０】
2015039090.tif 000022
【図２１】
2015039090.tif 000023
【図２２】
2015039090.tif 000024
【図２３】
2015039090.tif 000025
【図２４】
2015039090.tif 000026
【図２５】
2015039090.tif 000027
【図２６】
2015039090.tif 000028
【図２７】
2015039090.tif 000029
【図２８】
2015039090.tif 000030
【図２９】
2015039090.tif 000031
【図３０】
2015039090.tif 000032
【図３１】
2015039090.tif 000033
【図３２】
2015039090.tif 000034
【図３３】
2015039090.tif 000035
【図３４】
2015039090.tif 000036
【図３５】
2015039090.tif 000037
【図３６】
2015039090.tif 000038
【図３７】
2015039090.tif 000039
【図３８】
2015039090.tif 000040
【図３９】
2015039090.tif 000041